(57)【要約】      （修正有）【課題】芯に鋼球を備えた多色ボールペンのペン先を未収納状態で放置しても製品の寿命に影響したり、カスレ等のトラブルを起こす事がない多色ボールペン用ペンたてを提供する。【解決手段】ペン立ての底の磁石でペン先の鋼球２を引き付ける事によりラッチ機能を解除し、未収納のペン先を復元力によりボールペン本体に収納する。【選択図】図１
2019064167.tif 000002
【特許請求の範囲】
【請求項１】
ボールペンのペン先に鋼球が使用されている多色ボールペンに於いて、ペン先が未収納
状態の時ペン立てにボールペンを落とすと、ペン立ての底に取付けた永久磁石の引付け
力と、落下するボールペンにかかる重力と、特定のバネ圧のコイルバネのクッション型
ストッパーの合成力で、ペン先が下方に引き寄せられ、芯の後端部が曲げ力の反動で
ボールペン本体の筒の外側に押し出される力が働き、ラッチでロックされていた芯の
ラッチが解除されると同時にラッチの為に蓄えられたラッチ用のバネのポテンシャル
エネルギーＢとコイルバネのクッション型ストッパーに蓄えられた
ポテンシャルエネルギーＡの合成力の復元力より、ペン先が本体に収納される事を特徴
とする多色ボールペン用ペン立て。
【請求項２】
コイルバネのクッション型ストッパーを本体の先のテーパー部で支える事により
メーカー、型式で異なる多色ボールペン本体の軸径等の形状に左右される事なく
使用できる事を特徴とする多色ボールペン用ペン立て。
【請求項３】
請求項１の仕組みにより、先端の鋼球が外側に引く力が加わる事により、鋼球と鋼球の
支持パーツの隙間が正常な状態に保たれる時間が長くなり、ペン先の劣化速度を抑える
事を特徴とする多色ボールペン用ペン立て。
【発明の詳細な説明】
【技術分野】
【０００１】
本発明は多色ボールペン用ペン立てに関するものである。
【背景技術】
【０００２】
多色ボールペンは多少高価ではあるが、実用的には非常に便利の良い筆記具である。
しかし、その取扱いについてはあまり気を配られていない事による、カスレ、寿命等
について不便さがある。
【先行技術文献】
【特許文献】
【０００３】
【特許文献１】特開２０１２−１９６９４９
【発明の概要】
【発明が解決しようとする課題】
【０００４】
多色ボールペンのペン先を未収納状態で放置してしまい、製品の寿命を維持できない事
や、カスレ等のトラブルを起こす事が多い。
【課題を解決するための手段】
【０００５】
ペン立てにボールペンを落とす事により、ペン立ての底に取付けた永久磁石の引付け
力と、落下するボールペンにかかる重力と、特定のバネ圧のコイルバネのクッション型
ストッパーの合成力で、ペン先が下方に引き寄せられ、芯の後端部が曲げ力の反動で
ボールペン本体の筒の外側に押し出される力が働き、ラッチでロックされていた芯の
ラッチが解除されると同時にラッチの為に蓄えられたラッチ用のバネのポテンシャル
エネルギーＢとコイルバネのクッション型ストッパーに蓄えられた
ポテンシャルエネルギーＡの合成力による復元力で、ペン先が本体に収納される。
又、コイルバネのクッション型ストッパーを本体の先のテーパー部で支える事により
メーカー、型式で異なる多色ボールペン本体の軸径等の形状に左右される事なく
使用できる。そして、先端の鋼球が外側に引く力が加わる事により、鋼球と鋼球の
支持パーツの隙間が正常な状態に保たれる時間が長くなり、ペン先の劣化速度が抑えら
れる。
【発明の効果】
【０００６】
いくつもあるプッシュロッドでペン先を選択し、使用できる多色ボールペンはついつい、どれか
の色の先端を未収納の状態でデスク上に置いている事がよくある。結果的にはこれが原因で、
カスレ、短命等のトラブルを起こしてしまうことがある。このボールペン用ペン立ては、煩雑な
作業の中でうっかりペン先を収納しない状態で放置してしまった収納ミスをフォローしてくれる上、
いつも、押され続けている鋼球をペン立てに置く事により、先端方向に引っ張る事により、鋼球と
鋼球の支持パーツの隙間が正常に保たれる時間が長くなり、ペン先の劣化速度が抑えられる。
【図面の簡単な説明】
【０００７】
【図１】図１は本発明の詳細を示す図である。
【図２】図２は鋼球の付いたペン先が下方向に引付けられ、ラッチが解除された時の図である。
【図３】図３はラッチが解除されると同時に本体に収納された時の図である。
【発明を実施するための形態】
【０００８】
本発明の実施形態を図１〜図３に基づいて説明する。
【０００９】
図１は本発明の詳細の図を示す。
【００１０】
図２は鋼球の付いたペン先が下方向に引付けられ、ラッチが解除された時の図を示す。
【００１１】
図３はラッチが解除されると同時に復元力により本体に収納された時の図を示す。
【実施例】
【００１２】
図１は、本発明の仕組みを示す図である。
【産業上の利用可能性】
【００１３】
事務処理の効率アップ、書きやすさの維持、ボールペンの寿命をより長くする便利グッズ。
【符号の説明】
【００１４】
１  Ｎ極
２  ペン先の鋼球
３  磁石の引付け力
４  落下するボールペンにかかる重力
５  ラッチ時のペン先位置
６  クッション型ストッパー
７  芯の後端部
８  永久磁石
９  ペン先のテーパー部
１０  選択した芯
１１  ラッチ用バネの自由長
１２  ラッチ解除
１３  ラッチ固定位置
１４  ラッチ解除位置
１５  横方向のラッチ固定位置
１６  ３＋４＋６の合成力でラッチ解除を目的に引き下げる
１７  落下位置補整用ガイド
１８  ポテンシャルエネルギーＡ
１９  ６の自由長
２０  ラッチ用バネ
２１  プッシュロッドのヘッド
２２  芯のラッチ解除位置
２３  ボールペン本体
２４  ６の固定用フランジ
２５  ポテンシャルエネルギーＢ
【図１】
2019064167.tif 000003
【図２】
2019064167.tif 000004
【図３】
2019064167.tif 000005
【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
ボールペンのペン先に鋼球が使用されている多色ボールペンに於いて、底に永久磁石を取り付
けたペン立ての落下位置補整用ガイド上に、ペン先が未収納な状態のボールペンをペン先から
入れ、コイルバネのクッション型ストッパーで受け止め、コイルバネにポテンシャルエネルギ−
を蓄え、バネ力でボールペンを瞬間的に浮くが、再びボールペンに掛かる重力により、落下が
始まる。この時ボールペンに掛かる力は重力のみでなく磁石の引付け力も同時に働いて
磁石に近づくに伴い大きくなり、この大きくなったボールペンの先端方向への引付け力は再び、
コイルバネのクッション型ストッパーにペン先のテーパー部で受け止められるが、ボールペン
の中のペン先を含む芯のみが先端に鋼球が付いている為、磁石の引付け力により通常のペン先
の保持位置を超えた先端の方向に引付けられる。芯の位置が半径方向に偏心している多色ボー
ルペンの構造の場合、芯の先端が通常の保持位置より先端方向に引張られると芯の後端部はボ
ールペン本体の筒の外側方向に押し出され芯の後端部のラッチが外れ、ラッチ用バネに蓄えら
れたポテンシャルエネルギーＢが解放され、圧縮されていたラッチ用バネが伸びて芯の後端部
が引張られ、ノックで押し出されていた芯がボールペン本体に収納される事を特徴とする多色
ボールペン用ペン立て。
【請求項２】
底に永久磁石を取り付けたペン立ての落下位置補整用ガイド上にペン先が未収納な状態のボー
ルペンをペン先から入れ、コイルバネのクッション型ストッパーでボールペン本体の先の
テーパー部を受け止める事によりメーカー、型式で異なる多色ボールペン本体の軸径等の形状
に左右される事なく使用できる事を特徴とする多色ボールペン用ペン立て。
【請求項３】
請求項１の仕組みにより、先端の鋼球が外側に引く力が加わる事により、鋼球と鋼球の
支持パーツの隙間が正常な状態に保たれる時間が長くなり、ペン先の劣化速度を抑える
事を特徴とする多色ボールペン用ペン立て。
【手続補正２】
【補正対象書類名】明細書
【補正対象項目名】全文
【補正方法】変更
【補正の内容】
【発明の詳細な説明】
【技術分野】
【０００１】
本発明は多色ボールペン用ペン立てに関するものである。
【背景技術】
【０００２】
多色ボールペンは多少高価ではあるが、実用的には非常に便利の良い筆記具である。
しかし、その取扱いについてはあまり気を配られていない事による、カスレ、寿命等
について不便さがある。
【先行技術文献】
【特許文献】
【０００３】
【特許文献１】特開２０１２−１９６９４９
【発明の概要】
【発明が解決しようとする課題】
【０００４】
多色ボールペンのペン先を未収納状態で放置してしまい、製品の寿命を維持できない事
や、カスレ等のトラブルを起こす事が多い。
【課題を解決するための手段】
【０００５】
底に永久磁石を取り付けたペン立ての落下位置補整用ガイド上に、ペン先が未収納な状態の
ボールペンをペン先から入れ、コイルバネのクッション型ストッパーで受け止め、コイルバネ
にポテンシャルエネルギ−を蓄え、バネ力でボールペンを瞬間的に浮くが、再びボールペンに
掛かる重力により、落下が始まる。この時ボールペンに掛かる力は重力のみでなく磁石の引付け
力も同時に働いて磁石に近づくに伴い大きくなり、この大きくなったボールペンの先端方向へ
の引付け力は再び、コイルバネのクッション型ストッパーにペン先のテーパー部で受け止められ
るが、ボールペンの中のペン先を含む芯のみが先端に鋼球が付いている為、磁石の引付け力により
通常のペン先の保持位置を超えた先端の方向に引付けられる。芯の位置が半径方向に偏心してい
る多色ボールペンの構造の場合、芯の先端が通常の保持位置より先端方向に引張られると芯の
後端部はボールペン本体の筒の外側方向に押し出され芯の後端部のラッチが外れ、ラッチ用バネ
に蓄えられたポテンシャルエネルギーＢが解放され、圧縮されていたラッチ用バネが伸びて芯の
後端部が引張られ、ノックで押し出されていた芯がボールペン本体に収納される。
【発明の効果】
【０００６】
いくつもあるプッシュロッドでペン先を選択し、使用できる多色ボールペンはついつい、どれか
の色の先端を未収納の状態でデスク上に置いている事がよくある。結果的にはこれが原因で、
カスレ、短命等のトラブルを起こしてしまうことがある。このボールペン用ペン立ては、煩雑な
作業の中でうっかりペン先を収納しない状態で放置してしまった収納ミスをフォローしてくれる上、
いつも、押され続けている鋼球をペン立てに置く事により、先端方向に引っ張る事により、鋼球と
鋼球の支持パーツの隙間が正常に保たれる時間が長くなり、ペン先の劣化速度が抑えられる。
【図面の簡単な説明】
【０００７】
【図１】図１は本発明の詳細を示す図である。
【図２】図２は鋼球の付いたペン先が下方向に引付けられ、ラッチが解除された時の図である。
【図３】図３はラッチが解除されると同時に本体に収納された時の図である。
【発明を実施するための形態】
【０００８】
本発明の実施形態を図１〜図３に基づいて説明する。
【０００９】
図１は本発明の詳細の図を示す。
【００１０】
図２は鋼球の付いたペン先が下方向に引付けられ、ラッチが解除された時の図を示す。
【００１１】
図３はラッチが解除されると同時に復元力により本体に収納された時の図を示す。
【実施例】
【００１２】
図１は、本発明の仕組みを示す図である。
【産業上の利用可能性】
【００１３】
事務処理の効率アップ、書きやすさの維持、ボールペンの寿命をより長くする便利グッズ。
【符号の説明】
【００１４】
１  Ｎ極
２  ペン先の鋼球
３  磁石の引付け力
４  落下するボールペンにかかる重力
５  ラッチ時のペン先位置
６  クッション型ストッパー
７  芯の後端部
８  永久磁石
９  ペン先のテーパー部
１０  選択した芯
１１  ラッチ用バネの自由長
１２  ラッチ解除
１３  ラッチ固定位置
１４  ラッチ解除位置
１５  横方向のラッチ固定位置
１６  ３＋４＋６の合成力でラッチ解除を目的に引き下げる
１７  落下位置補整用ガイド
１８  ポテンシャルエネルギーＡ
１９  ６の自由長
２０  ラッチ用バネ
２１  プッシュロッドのヘッド
２２  芯のラッチ解除位置
２３  ボールペン本体
２４  ６の固定用フランジ
２５  ポテンシャルエネルギーＢ